(57)【特許請求の範囲】
【請求項１】
異なる方式の放送信号を受信することができ、自動利得制御電圧が入力したときに、前記自動利得制御電圧の増減に従って中間周波信号を増幅して出力するチューナーと、第一の制御電圧を出力し、前記中間周波信号が入力したときは、前記中間周波信号のレベルが高くなるに従って前記前記第一の制御電圧が高くなるようにする第一の検波器と、第二の制御電圧を出力し、前記中間周波信号が入力しないときに最大値の電圧を出力し、前記中間周波信号のレベルが高くなるに従って前記第二の制御電圧が低くなるようにする第二の検波器と、受信した放送に応じて、中間周波信号の出力先を前記第一の検波器または前記第二の検波器を選択する切替スイッチと、前記第一の制御電圧及び前記第二の制御電圧が入力され、前記自動利得制御電圧を出力する電圧変換回路とを設け、前記中間周波信号を前記第二の検波器に入力したときは、前記第二の制御電圧を前記自動利得制御電圧として前記チューナーに出力し、前記中間周波信号を前記第一の検波器に入力したときは、前記第二の検波器から出力される前記最大の電圧と前記第一の制御電圧との差の電圧の増減に応じて増減した電圧を、前記自動利得制御電圧として前記チューナーに出力するようにしたことを特徴とする、自動利得制御回路。
【請求項２】
前記電圧変換回路を第一の抵抗と第二の抵抗とトランジスタとで構成し、前記第一の抵抗の一端と前記トランジスタのコレクタとを接続し、前記トランジスタのエミッタを前記第二の抵抗を介して接地し、前記第二の制御電圧を前記第一の抵抗の他端に入力し、前記第一の制御電圧を前記トランジスタのベースに入力し、前記トランジスタのコレクタから前記自動利得制御電圧が出力されるようにしたことを特徴とする請求項１記載の自動利得制御回路。
【発明の詳細な説明】
【０００１】
【発明の属する技術分野】
本発明は、例えば、デジタル方式のテレビジョン信号とアナログ方式のテレビジョン信号のように、方式の異なる二つの放送信号を受信することができる受信機の自動利得制御回路に関する。
【０００２】
【従来の技術】
従来の自動利得制御回路を図２に従って説明する。チューナー２１は、アナログ方式のテレビジョン信号（以下、アナログ放送信号という。）とデジタル方式のテレビジョン信号（以下、デジタル放送信号という。）との両方の放送信号が受信できるチューナーであり、中間周波信号出力端（以下、ＩＦ信号出力端という。）２１ａと自動利得制御電圧入力端（以下、ＡＧＣ電圧入力端という。）２１ｂとを有しており、アンテナ２２に接続されている。また、チューナー２１は、利得可変増幅器２１ｃや入力された放送信号を中間周波信号（以下、ＩＦ信号という。）に変換する混合器（図示せず）等を有している。利得可変増幅器２１ｃは、ＡＧＣ電圧入力端２１ｂから入力された自動利得制御電圧（以下、ＡＧＣ電圧という。）の大きさに応じて、増幅度が変えられる増幅器で、ＡＧＣ電圧が大きいときは、増幅度が高くなるようになっている。
そして、アンテナ２２から入力されたアナログ放送信号又はデジタル放送信号は、利得可変増幅器２１ｃによってＡＧＣ電圧の大きさに応じて増幅され、混合器によって中間周波信号に変換されて、ＩＦ信号出力端２１ａから出力されるようになっている。
【０００３】
ＩＦ信号出力端２１ａには、高周波スイッチ２３が接続されている。高周波スイッチ２３は、出力端子２３ａ及び２３ｂと入力端子２３ｃとを有しており、受信した放送信号の種類に応じて、入力端子２３ｃを出力端子２３ａまたは２３ｂに接続するようにし、そして、チューナー２１がアナログ放送信号を受信したときには入力端子２３ｃを出力端子２３ａに接続し、デジタル放送信号を受信したときは出力端子２３ｂに接続するようになっている。この高周波スイッチ２３は、例えば、スイッチダイオードを用いることで構成することができる。
出力端子２３ａには、ＩＦ信号が入力したときに、ＩＦ信号のレベルに応じてＡＧＣ電圧を出力する検波器２４と、アナログ放送のＩＦ信号から音声信号と映像信号とを出力する復調器２５とが接続されており、検波器２４と復調器２５との両方にＩＦ信号が入力されるようになっている。
ここで、検波器２４は、入力されるＩＦ信号のレベルが低いときは、出力するＡＧＣ電圧を高く出力し、入力されるＩＦ信号のレベルが高いときには、出力するＡＧＣ電圧は低く出力するようになっている。また、検波器２４から出力されたＡＧＣ電圧は、自動利得制御電圧切替スイッチ（以下、ＡＧＣ電圧切替スイッチという）２６を介して、チューナー２１のＡＧＣ電圧入力端２１ｂに入力されるようになっている。
【０００４】
同様に、出力端子２３ｂには、ＩＦ信号が入力したときにＡＧＣ電圧を出力する検波器２７とデジタル放送信号のＩＦ信号から音声信号と映像信号とを出力する復調器２８とが接続されており、検波器２７と復調器２８との両方にＩＦ信号が入力されるようになっている。
ここで、検波器２７は、入力されるＩＦ信号のレベルが低いときは、出力するＡＧＣ電圧を高く出力し、入力されるＩＦ信号のレベルが高いときには、出力するＡＧＣ電圧を低く出力するようになっている。また、検波器２７から出力されたＡＧＣ電圧は、ＡＧＣ電圧切替スイッチ２６を介して、チューナー２１のＡＧＣ電圧入力端２１ｂに入力されるようになっている。
【０００５】
ＡＧＣ電圧切替スイッチ２６は、高周波スイッチ２３と連動して切り替えを行い、検波器２４又は２７から出力されたＡＧＣ電圧がチューナー２１の利得可変増幅器２１ｃに入力されるようになっている。ＡＧＣ電圧切替スイッチ２６は、入力端子２６ａ及び２６ｂと出力端子２６ｃとを有しており、受信した放送に応じて、出力端子２６ｃを、入力端子２６ａまたは２６ｂに接続するようになっており、チューナー２１がアナログ放送信号を受信したときには出力端子２６ｃを入力端子２６ａに接続し、デジタル放送信号を受信したときは、出力端子２６ｃは切替端子２６ｂに接続するようになっている。このＡＧＣ電圧切換えスイッチ２６は、スイッチダイオードで構成することが困難なので、例えば、リレー等が用いられている。
そして、例えば、アナログ放送信号を受信する場合において、アナログ放送信号のレベルが低下したときは、検波器２４が出力するＡＧＣ電圧が高くなるので、チューナー２１の利得可変増幅器２１ｃの増幅度が高くなって、出力するＩＦ信号のレベルが一定となるようにすることで、好適な音声信号と映像信号とが得られるようになっている。
また、デジタル放送信号を受信した場合も同様に、デジタル放送信号のレベルが低下したときは、検波器２７が出力するＡＧＣ電圧が高くなるので、チューナー２１の利得可変増幅器２１ｃの増幅度が高くなって、出力するＩＦ信号のレベルを一定となるようにすることで、好適な音声信号と映像信号とが得られるようになっている。
【０００６】
【発明が解決しようとする課題】
ところが、アナログ放送信号とデジタル放送信号の両方を一つのチューナーによって受信できるようにしているため、受信信号に応じて高周波スイッチ２３とＡＧＣ電圧切替スイッチ２６とを連動して切り替える必要がある。
そこで、高周波スイッチ２３は、スイッチダイオードを用いることで、簡単に構成することが可能であるが、ＡＧＣ電圧切替スイッチ２６は、、リレー等の機械的なスイッチ手段を用いて切り替えを行っていたため、価格が上昇し、かつ、設置場所を広く必要とする等の問題があった。
【０００７】
そこで、本発明は、これらの問題を解決するためのもので、その目的は、より簡単な構成によって、ＡＧＣ電圧切替スイッチ２６に機械的なスイッチ手段を用いることなく、かつ、設置場所の制約なく、安価にＡＧＣ電圧の切り替えを可能にすることにある。
【０００８】
【課題を解決するための手段】
上記問題を解決するために、本発明の自動利得制御回路は、異なる方式の放送信号を受信することができ、自動利得制御電圧が入力したときに、前記自動利得制御電圧の増減に従って中間周波信号を増幅して出力するチューナーと、第一の制御電圧を出力し、前記中間周波信号が入力したときは、前記中間周波信号のレベルが高くなるに従って前記前記第一の制御電圧が高くなるようにする第一の検波器と、第二の制御電圧を出力し、前記中間周波信号が入力しないときに最大値の電圧を出力し、前記中間周波信号のレベルが高くなるに従って前記第二の制御電圧が低くなるようにする第二の検波器と、受信した放送に応じて、中間周波信号の出力先を前記第一の検波器または前記第二の検波器を選択する切替スイッチと、前記第一の制御電圧及び前記第二の制御電圧が入力され、前記自動利得制御電圧を出力する電圧変換回路とを設け、前記中間周波信号を前記第二の検波器に入力したときは、前記第二の制御電圧を前記自動利得制御電圧として前記チューナーに出力し、前記中間周波信号を前記第一の検波器に入力したときは、前記第二の検波器から出力される前記最大の電圧と前記第一の制御電圧との差の電圧の増減に応じて増減した電圧を、前記自動利得制御電圧として前記チューナーに出力するようにした。
【０００９】
また、本発明の自動利得制御回路は、前記電圧変換回路を第一の抵抗と第二の抵抗とトランジスタとで構成し、前記第一の抵抗の一端と前記トランジスタのコレクタとを接続し、前記トランジスタのエミッタを前記第二の抵抗を介して接地し、前記第一の制御電圧を前記第一の抵抗の他端に入力し、前記第二の制御電圧を前記トランジスタのベースに入力し、前記トランジスタのコレクタから前記自動利得制御電圧が出力されるようにした。
【００１０】
【発明の実施の形態】
本発明の自動利得制御回路を図１に従って説明する。チューナー１は、アナログ方式のテレビジョン信号（以下、アナログ放送信号という。）とデジタル方式のテレビジョン信号（以下、デジタル放送信号という。）との両方の放送信号が受信できるチューナーであり、中間周波信号出力端（以下、ＩＦ信号出力端という。）１ａと自動利得制御電圧入力端（以下、ＡＧＣ電圧入力端という。）１ｂとを有しており、アンテナ２に接続されている。また、チューナー１は、利得可変増幅器１ｃや入力された放送信号を中間周波信号（以下、ＩＦ信号という。）に変換する混合器（図示せず）等を有している。利得可変増幅器１ｃは、ＡＧＣ電圧入力端１ｂから入力された自動利得制御電圧（以下、ＡＧＣ電圧という。）の大きさに応じて、増幅度が変えられる増幅器で、ＡＧＣ電圧が小さいときは、増幅度が高くなるようになっている。
そして、アンテナ２から入力されたアナログ放送信号又はデジタル放送信号は、利得可変増幅器１ｃによってＡＧＣ電圧の大きさに応じて増幅され、混合器によって中間周波信号に変換されて、ＩＦ信号出力端１ａから出力されるようになっている。
【００１１】
ＩＦ信号出力端１ａには、高周波スイッチ３が接続されている。高周波スイッチ３は、出力端子３ａ及び３ｂと入力端子３ｃとを有しており、受信した放送の種類に応じて、入力端子３ｃを出力端子３ａまたは３ｂに接続するようにし、そして、チューナー１がアナログ放送信号を受信したときには入力端子３ｃを出力端子３ａに接続し、デジタル放送信号を受信したときは、入力端子３ｃを出力端子３ｂに接続するようになっている。
出力端子３ａには、ＩＦ信号が入力したときに、ＩＦ信号のレベルに応じて第一の制御電圧である自動利得制御電圧（以下、第一のＡＧＣ電圧という。）を出力する第一の検波器４とアナログ放送信号のＩＦ信号から音声信号と映像信号とを出力する復調器５が接続されており、第一の検波器４と復調器５との両方にＩＦ信号が入力されるようになっている。
ここで、第一の検波器４は、ＩＦ信号が入力されないときには、第一のＡＧＣ電圧は出力せず、ＩＦ信号が入力されたときは、そのＩＦ信号のレベルが増加するに従って、第一のＡＧＣ電圧を高くして出力するようになっている。
【００１２】
同様に、出力端子３ｂには、ＩＦ信号が入力したときに、入力されたＩＦ信号のレベルに応じて第二の制御信号である自動利得制御電圧（以下、第二のＡＧＣ電圧という。）を出力する第二の検波器６と、デジタル放送信号のＩＦ信号から音声信号と映像信号とを出力する復調器７とが接続されており、第二の検波器６と復調器７との両方にＩＦ信号が入力されるようになっている。
ここで、第二の検波器６は、ＩＦ信号が入力されないときに第二のＡＧＣ電圧を最大にして出力するようになっており、ＩＦ信号が入力されたときには、そのＩＦ信号のレベルが増加するに従って、第二のＡＧＣ電圧を低くして出力するようになっている。
【００１３】
そして、第一の検波器４から出力された第一のＡＧＣ電圧と、第二の検波器６から出力された第二のＡＧＣ電圧とは、電圧変換回路８に入力されるようになっている。
ここで、電圧変換回路８は、第一の抵抗９と第二の抵抗１０とトランジスタ１１とから構成されており、第一の抵抗９の一端は第二の検波器６に接続されており、他端がトランジスタ１１のコレクタに接続されている。また、トランジスタ１１のエミッタは第二の抵抗１０を介して接地されている。そして、第一の抵抗９とトランジスタ１１との接続点が、チューナー１のＡＧＣ電圧入力端１ｂに接続されており、第二の検波器６から出力された第二のＡＧＣ電圧が第一の抵抗９を介してチューナー１のＡＧＣ電圧入力端１ｂに入力される。
また、第一の検波器４から出力された第一のＡＧＣ電圧は、トランジスタ１１のベースに入力されるようになっている。
【００１４】
次に、チューナー１がアナログ放送信号を受信したときの動作について説明する。まず、アナログ放送信号を受信するので、高周波スイッチ３の共通端子３ｃを切替端子３ａに切り替える。すると、第二の検波器６にはＩＦ信号が入力されないので、第二の検波器６からは第二のＡＧＣ電圧の最大値が出力される。
チューナー１に入力されたアナログ放送信号は、チューナー１の混合器によってＩＦ信号に変換され、ＩＦ信号出力端１ａから出力され、高周波スイッチ３を介して第一の検波器４と復調器５とに入力される。第一の検波器４は、入力されたＩＦ信号の強さに応じて第一のＡＧＣ電圧を出力する。この第一の検波器４から出力された第一のＡＧＣ電圧は、トランジスタ１１のベースに入力される。
すると、第二のＡＧＣ電圧によって第一の抵抗９を介してトランジスタ１１のコレクタ−エミッタ間には電流が流れるようになり、その結果、トランジスタ１１のコレクタには、第二のＡＧＣ電圧（最大値）と第一のＡＧＣ電圧との差の電圧に比例した電圧が生じ、この電圧がチューナー１のＡＧＣ電圧入力端１ｂを介して、利得可変増幅器１ｃに入力される。
【００１５】
ここで、チューナー１が受信したアナログ放送信号のレベルが低下したときは、チューナー１から出力されるＩＦ信号のレベルも低くなるので、それに伴って、第一の検波器４から出力されるＡＧＣ電圧も小さくなる。
従って、トランジスタ１１のベースに入力される第一の電圧も小さくなるので、コレクタ−エミッタ間に流れる電流も少なくなる。その結果、トランジスタ１１のコレクタ電圧は高い状態でチューナー１のＡＧＣ電圧入力端１ｂに入力される。その結果、チューナー１の可変利得増幅器１ｃは、入力されたアナログ放送信号をより大きく増幅するので、チューナー１から出力され、復調器５に入力されるＩＦ信号のレベルは一定に保たれる。
その結果、復調器５からは好適な音声信号及び映像信号が出力されるようになる。
また、チューナー１が受信したアナログ放送信号のレベルが高くなった場合には、出力されるＩＦ信号のレベルは高くなるので、それに伴って、第一の検波器４から出力される第一のＡＧＣ電圧は大きくなる。
従って、コレクタ−エミッタ間に流れる電流も大きくなるので、チューナー１に入力される、電圧変換された第二のＡＧＣ電圧は小さくなる。その結果、チューナー１の自動可変増幅器１ｃの増幅度が下がり、入力されたアナログ放送信号を小さく増幅するので、チューナー１の利得可変増幅器１ｃから出力され、復調器５に入力されるＩＦ信号のレベルは一定に保たれる。その結果、復調器５からは好適な音声信号及び映像信号が出力されるようになる。
【００１６】
次に、チューナー１がデジタル放送信号を受信したときの動作について説明する。まず、デジタル放送信号を受信するので、高周波スイッチ３の共通端子３ｃを切替端子３ｂに切り替える。すると、第一の検波器４には、ＩＦ信号は入力されないので、第一の検波器４からは第一のＡＧＣ電圧は出力されない。従って、トランジスタ１１のベースには電圧が入力されないので、トランジスタ１１のコレクタ−エミッタ間には電流が流れない。従って、第二の検波器６から出力される第二のＡＧＣ電圧は、第一の抵抗９を介して、そのままチューナー１のＡＧＣ電圧入力端１ｂに入力される。
ここで、チューナー１が受信したデジタル放送信号の受信状態が悪化したときは、チューナー１から出力されるＩＦ信号のレベルは低くなるので、それに伴って、第二の検波器６から出力されるＡＧＣ電圧は大きくなる。
従って、チューナー１のＡＧＣ電圧入力端１ｂには第二のＡＧＣ電圧が入力されるので、チューナー１の可変利得増幅器１ｃは、入力されたデジタル放送信号を大きく増幅するので、チューナー１から出力され、復調器７に入力されるＩＦ信号のレベルは一定に保たれる。
その結果、復調器７からは好適な音声信号及び映像信号が出力されるようになる。
また、チューナー１が受信したデジタル放送信号の受信状態が好転した場合には、チューナー１から出力されるＩＦ信号のレベルは高くなるので、それに伴って、第二の検波器６から出力される第二のＡＧＣ電圧は小さくなる。その結果、チューナー１の可変利得増幅器１ｃは、入力されたデジタル放送信号を小さく増幅するので、チューナー１から出力され、復調器７に入力されるＩＦ信号のレベルは低くなる。その結果、復調器７からは好適な音声信号及び映像信号が出力されるようになる。
【００１７】
従って、電圧変換回路８を設けることで、高周波スイッチ３を切り替えによって、簡単にアナログ放送信号とデジタル放送信号の両方の自動利得制御回路を構成することができ、かつ簡単に、両放送信号に対応するように切り替えることができる。
【００１８】
【発明の効果】
以上のように、本発明の自動利得制御回路は、異なる方式の放送信号を受信することができ、自動利得制御電圧が入力したときに、自動利得制御電圧の増減に従って中間周波信号を増幅して出力するチューナーと、第一の制御電圧を出力し、中間周波信号が入力したときは、中間周波信号のレベルが高くなるに従って第一の制御電圧が高くなるようにする第一の検波器と、第二の制御電圧を出力し、中間周波信号が入力しないときに最大値の電圧を出力し、中間周波信号のレベルが高くなるに従って第二の制御電圧が低くなるようにする第二の検波器と、受信した放送に応じて、中間周波信号の出力先を第一の検波器または第二の検波器を選択する切替スイッチと、第一の制御電圧及び第二の制御電圧が入力され、自動利得制御電圧を出力する電圧変換回路とを設け、中間周波信号を第二の検波器に入力したときは、第二の制御電圧を自動利得制御電圧としてチューナーに出力し、中間周波信号を第一の検波器に入力したときは、第二の検波器から出力される最大の電圧と第一の制御電圧との差の電圧の増減に応じて増減した電圧を自動利得制御電圧としてチューナーに出力するようにしたことで、両放送の受信切り替えを一つのスイッチによって簡単に切りかえることができる。
【００１９】
また、本発明の自動利得制御回路は、電圧変換回路を第一の抵抗と第二の抵抗とトランジスタとで構成し、第一の抵抗の一端とトランジスタのコレクタとを接続し、トランジスタのエミッタを第二の抵抗を介して接地し、第一の制御電圧を第一の抵抗の他端に入力し、第二の制御電圧をトランジスタのベースに入力し、トランジスタのコレクタから自動利得制御電圧が出力されるようにしたことで、リレー等の機械的なスイッチ手段を用いないので、安価で設置場所の制約を受けずに、ＡＧＣ電圧の切り替えが可能となる。
【図面の簡単な説明】
【図１】本発明の自動利得制御回路である。
【図２】従来の自動利得制御回路である。
【符号の説明】
１  チューナー
１ａ  中間周波信号出力端
１ｂ  自動利得制御電圧入力端
１ｃ  利得可変増幅器
２  アンテナ
３  高周波スイッチ
３ａ，３ｂ  出力端子
３ｃ  入力端子
４  第一の検波器
５，７  復調器
６  第二の検波器
８  電圧変換回路
９  第一の抵抗
１０  第二の抵抗
１１  トランジスタ
【図１】
0003558874.tif 000002
【図２】
0003558874.tif 000003